(57)【要約】【課題】  限られたスペース内において器具と配管とを確実に接続可能とする曲げ許容範囲の大きい器具接続管及びこれを備えた配管ユニットを提供する。【解決手段】  可撓管からなる器具接続管１において、当該器具接続管１の所定の周方向にのみ蛇腹２０を形成した領域を備えることで、狭いスペースにおいても器具と配管を確実に接続できるようにし、このような器具接続管１を器具と配管との間に接続した配管ユニットとすることで、組付け性に優れかつ省スペースを図った配管ユニットを実現する。【選択図】  図２
2005240947.tif 000002
【特許請求の範囲】
【請求項１】
可撓管からなる器具接続管において、当該器具接続管の所定の周方向にのみ蛇腹を形成した領域を備えたことを特徴とする器具接続管。
【請求項２】
可撓管からなる器具接続管において、当該器具接続管の一端側は所定の周方向にのみ蛇腹を形成し、他端側は全周に蛇腹を形成したことを特徴とする器具接続管。
【請求項３】
可撓管からなる器具接続管において、当該器具接続管は曲り部を有し、当該曲がり部において外側曲がり部にのみ蛇腹を形成したことを特徴とする器具接続管。
【請求項４】
可撓管からなる器具接続管において、所定の周方向とは、当該器具接続管の器具への接続状態における器具接続管の上部であることを特徴とする、請求項１又は請求項２の何れかに記載の器具接続管。
【請求項５】
可撓管からなる器具接続管において、前記器具接続管が所定の周方向にのみ蛇腹を形成した一端部を備え、当該器具接続管の一端部が器具に接続されるようになったことを特徴とする器具接続管。
【請求項６】
前記一端部の中心軸線が、前記器具接続管が取付けられる器具の接続用開口部の中心軸線と平行又は合致していることを特徴とする、請求項５に記載の器具接続管。
【請求項７】
請求項５又は請求項６における器具接続管において、器具に接続される一端部から他端部に向かうに従って当該器具接続管の通水断面積が大きくなることを特徴とする器具接続管。
【請求項８】
ライニングのフレームの前面及び上面に仕上げを配し、内部に配管を有し、器具接続管を介して器具を接続する配管ユニットにおいて、前記器具接続管に請求項１乃至請求項７の何れかに記載の器具接続管を用いたことを特徴とする配管ユニット。
【発明の詳細な説明】
【技術分野】
【０００１】
本発明は例えば大便器や小便器などの器具と配管とを接続する器具接続管及びこれを用いた配管ユニットに関する。
【背景技術】
【０００２】
近年、各階ごとにテナントが入居したビルにおいて特定の階におけるテナントの入居にあわせてそのフロアやトイレの改修が行われるようになっている。この改修にあたってトイレの配管工事を行うに際して天井裏配管工事を行う場合と床上配管工事を行う場合の２通りの工事が考えられる。しかし、天井裏配管工事を行う場合、改修を行う階とその下の階も含めた上下２つの階のフロア工事が必要になり、工事したい階の下の階も配管作業で使えなくなる。
【０００３】
一方、床上配管工事はこのようなことがなく、スラブに穴を開ける作業も少ないのでビルの躯体を傷つけなくて済む。これに加えて、スラブには電線などが配索されている場合もあるが、配管工事においてこれらが損傷を受けるのを防止することができる。従って、トイレの改修に関しては、天井裏配管工事よりも床上配管工事が好ましいとされる。
【０００４】
この床上配管工事を行うにあたって、大便器や小便器などの器具と配管とを接続するのに一般の器具接続管をが用いる場合の例を図６に示す。
【０００５】
この図から分かるように、配管７０はライニング８０の下方に配置され、大便器３０はライニング８０の近傍に配置されている。ここで、大便器３０の器具排水口３１と配管７０とを一般の器具接続管９０で取付ける場合について考える。通常７５Ａの器具接続管９０を床からの高さＨ（通常１７０ｍｍ前後）の器具排水口３１に取付けると、同図に示すように配管７０の一部が埋まった状態でしか取付けできないことがあると分かる。そして、これを解決するためには図７に示すような蛇腹を備えた器具接続管９１を用いる必要がある（例えば、特許文献１及び特許文献２参照）。
【０００６】
【特許文献１】実開昭５２−５４６５（３−５頁、図１）
【特許文献２】特開２００２−１９５４６４（３−５頁、図１）
【発明の開示】
【発明が解決しようとする課題】
【０００７】
一方、床上配管工事を行うにあたって問題となるのは、トイレのスペースを広くとりにくい関係上、トイレ内のライニング８０の大きさが制限されることにある。すなわち、トイレのスペースが限られているので、ライニング自体を大型化することはできない。そして、この制限された大きさのライニング８０に配管７０を通すとともに大便器３０と配管７０との間に器具接続管９１を配設する必要があるが、配管７０と器具排水口３１との間の距離が非常に短くなるので、ライニング内の器具接続管９１の形状を工夫する必要がある。なお、特許文献１及び特許文献２に記載のような器具接続管９１は、接続管周方向全周にわたって蛇腹を均一に形成した構造を有している。器具接続管は下向きに曲げる方向への曲げ許容度が大きいと、器具と配管を接続する上で有利だが、特許文献１および特許文献２に記載のような器具接続管９１は全方向に均一に曲げられる利点はあるが、特定の方向への曲げ許容度は小さいため、大便器３０と配管７０との接続の対応範囲が限られてしまい、大便器３０と配管７０との間に接続できなかったり、接続作業が極めてやりにくかったりして配管工事に支障をきたすことがある。
【０００８】
また、図８のように複数の大便器３０を横引きの配管７１で連結すると、大便器３０の排水口と配管７１とを接続する器具接続管９１の落差が場所によっては大きくなり（図８中、Δｈ３参照）、このような特許文献１及び特許文献２に記載の通常の蛇腹構造を有する器具接続管９１を曲げた範囲では対応できなくなる。接続するためには器具接続管側をある程度配管側に曲げることが有効であるため、図９に示すように、器具接続側端部９２ａ部に例えば曲げ角度５°、２５°、４０°等、所定の角度ごとに曲げが施された器具接続管９２を多種類、曲げ角度に応じて用意していた。このような端部に異なる曲げ角度の固定曲げ部９２ａを備えた器具接続管９２，９２’，９２”・・・を多種類用意しておくのでは、部品の共通化が図れず、在庫管理の観点や組付け作業性の観点から好ましくない。従って、器具排水口と配管との間のさまざまな位置関係に対応できる、特定の方向に曲げ許容度の大きい構造を備えた器具接続管が望まれる。
【０００９】
本発明の目的は、限られたスペース内において器具と配管とを確実に接続可能とする曲げ許容範囲の大きい器具接続管及びこれを用いた配管ユニットを提供することにある。
【課題を解決するための手段】
【００１０】
上述した課題を解決するために、本発明にかかる器具接続管は、可撓管からなる器具接続管において、当該器具接続管の所定の周方向にのみ蛇腹を形成した領域を備えたことを特徴としている。
【００１１】
このような器具接続管を用いると、所定の周方向にのみ蛇腹が十分伸びることで器具接続管自体を十分に曲げることができる。すなわち、従来の蛇腹構造の器具接続管よりも曲げ許容範囲の大きい蛇腹構造の器具接続管とすることができ、狭いスペースにおいても器具と配管を確実に接続できる。
【００１２】
また、本発明の請求項２に記載の器具接続管は、可撓管からなる器具接続管において、当該器具接続管の一端側は所定の周方向にのみ蛇腹を形成し、他端側は全周に蛇腹を形成したことを特徴としている。
【００１３】
このような器具接続管を用いることで、狭いスペースにおいても器具接続管の一端側を十分に曲げて接続可能範囲を大きくすることができるとともに、他端側は蛇腹の可撓性を活かすことによって器具と配管の位置関係がずれた場合においても確実に接続できる。
【００１４】
また、本発明の請求項３に記載の器具接続管は、可撓管からなる器具接続管において、当該器具接続管は曲がり部を有し、当該曲がり部において外側曲がり部にのみ蛇腹を形成したことを特徴としている。
【００１５】
このような器具接続管を用いることで、器具接続管の曲がり部を十分に曲げることができ、狭いスペースにおいても器具と配管を確実に接続できる。
【００１６】
また、本発明の請求項４に記載の器具接続管は、可撓管からなる器具接続管において、所定の周方向とは、当該器具接続管の器具への接続状態における器具接続管の上部であることを特徴とする、請求項１又は請求項２の何れかに記載の器具接続管である。
【００１７】
この部分に蛇腹を形成することで、間隔が狭くかつ位置関係に高低差のある器具と配管とを確実に接続することができる。
【００１８】
また、本発明の請求項５に記載の器具接続管は、可撓管からなる器具接続管において、器具接続管が所定の周方向にのみ蛇腹を形成した一端部を備え、当該器具接続管の一端部が器具に接続されるようになったことを特徴としている。
【００１９】
このような器具接続管を用いることで、特に器具接続管の器具との接続部近傍で十分曲げることができるようになる。
【００２０】
また、本発明の請求項６に記載の器具接続管は、請求項５に記載の器具接続管において、一端部の中心軸線が、器具接続管が取付けられる器具の接続用開口部の中心軸線と平行又は合致していることを特徴としている。
【００２１】
この一端部が器具の接続用開口部の中心軸線に対して斜めに取付けられていると、器具接続管を器具と配管との間で押しつぶして接続する際、器具接続管内部の通水特性に影響を与える有効径が狭くなり、この部分で通過物のつまりが生じやすくなる。しかしながら、一端部の中心軸線を、器具接続管が取付けられる器具の接続用開口部の中心軸線と平行又は合致させることで、器具接続管の一端部が器具の接続開口部に対していわゆるストレート部として取付けられ、上述のように斜めに取付けられることはなくなり、器具接続管内部の有効径を確保することができる。その結果、器具接続管内部に通過物がつまることがなくなる。
【００２２】
また、本発明の請求項７に記載の器具接続管は、請求項５又は請求項６における器具接続管において、器具に接続される一端部から他端部に向かうに従って当該器具接続管の通水断面積が大きくなることを特徴としている。
【００２３】
このような器具接続管を用いることで、狭いスペースにおいても器具と配管を確実に接続できることに加えて、器具接続管内の通過物のつまりを防止する。
【００２４】
また、器具接続管を器具と配管との間で押しつぶして接続する際、器具接続管の曲がり部において、器具接続管内部の通水特性に影響を与える有効径が狭くなるが、器具に接続される一端部から他端部に向かうに従って当該器具接続管の通水断面積が大きくしているため、曲がり部においても有効な通水断面積を確保でき、通過物のつまりを防止できる。
【００２５】
また、本発明の請求項８に記載の器具接続管は、ライニングのフレームの前面及び上面に仕上げを配し、内部に配管を有し、器具接続管を介して器具を接続する配管ユニットにおいて、器具接続管に請求項１乃至請求項７の何れかに記載の器具接続管を用いたことを特徴としている。
【００２６】
配管ユニットをこのように構成することで、省スペースを図った上に器具接続管内の通過物のつまりが生じにくい配管ユニットを少ない種類の器具接続管のみで実現することができる。
【発明の効果】
【００２７】
本発明によると、従来の蛇腹構造の器具接続管よりも曲げ許容範囲の大きい蛇腹構造の器具接続管としたので、少ない種類の器具接続管によって限られたスペース内において器具と配管とを確実に接続することができる。
【００２８】
これによって、各階にテナントが入居したビルの特定の階のフロア改修を行う場合などにおいて、下の階のフロアが使用不可能となる天井裏配管工事を避けることができる上、小型のライニング内に器具接続管を容易に取付けることができ、トイレ改修工事の作業性向上を図るとともにトイレの省スペースを実現できる。
【発明を実施するための最良の形態】
【００２９】
以下、本発明の一実施形態にかかる器具接続管及びこれを用いた配管ユニットについて説明する。本発明の一実施形態にかかる器具接続管１は、トイレのライニング内に設置され、配管の一部をなすチーズ（Ｔ字管）の受け口と大便器（器具）の器具排水口とを接続する接続管である。器具接続管１は、可撓部が軟質塩化ビニルからなり、図１に示すように、周囲の所定部分に蛇腹２０が形成されるとともに、図４に示すように、その一端部（器具接続側端部）１１の通水断面積は、器具側の排水口の径に応じて決定され、その他端部（配管接続側端部）１２の通水断面積は一端部１１よりも大きく形成されている（図４における管径Ｄ１と管径Ｄ２比較参照）。
【００３０】
そして、器具接続管の一端部１１は大便器３０の器具排水口３１（図２及び図４参照）に排水フランジ４０を介して接続され、他端部はチーズ５０の受け口５１に締め付け金具６０を介して接続されるようになっている。
【００３１】
また、図２から分かるように、器具接続管１は、一端部１１の近傍部分２３において管自体が曲がり部を形成し、器具接続管１が大便器３０とチーズ５０との間に接続された状態で、この曲がり部によって一端部１１が他端部１２よりも高くなるように接続されるとともに、図４に示すように、一端部１１の開口中心軸線Ｘ１と他端部１２の開口中心軸線Ｘ２とが偏倚して取付けられるようになっている。また、器具接続管の器具排水口近傍の一端部１１の中心軸線が、器具の排水口の中心軸線と平行に取付けられている。以上の構成を有することで、器具接続管１は大便器３０の器具排水口３１とチーズ５０との間の限られた狭いスペースにおいて一端部近傍が三次元的に曲がった状態で取付けられるようになっている。
【００３２】
器具接続管１には、一端側からその長手方向所定領域（図２における領域Ａ参照）においては周方向の一部にのみ蛇腹２１が形成され、その他端側から長手方向所定領域（図２における領域Ｂ参照）においては周方向全体に蛇腹２２が形成されている。具体的には、大便器３０との接続側である一端部１１から一定領域においては、器具接続管１を取付けた状態で周方向において最も伸張する部分、すなわち、器具接続管１の取付け状態で見て周方向上側部分（図２参照）にのみ蛇腹２１が形成されている。そして、器具接続管１を取付けた状態で周方向において圧縮する部分、すなわち、器具接続管１の取付け状態で見て周方向下側部分には蛇腹が形成されておらず、この部分が器具接続管１の蛇腹不形成領域２５をなしている。
【００３３】
また、器具接続管１の他端側は、上述のとおり周方向全体に蛇腹２２が形成されている。これによって、器具接続管１の他端側はチーズ５０の受け口５１が位置的に多少ずれても蛇腹２２が伸縮してこのずれを吸収するようになっている。これによって、後述するように、従来の蛇腹構造の器具接続管よりも曲げ許容範囲の大きい器具接続管を実現している。
【００３４】
一方、器具接続管１の一端部は、大便器３０の器具排水口３１に取付けられる排水フランジ４０のテーパ部４１（図１及び図３参照）と合致するように拡開して形成されている。そして、器具接続管１の一端部１１は、接着剤や図示しない締結手段によって排水フランジ４０のテーパ部４１に固着され、排水フランジ４０を介して大便器３０の器具排水口３１に液密に接続されるようになっている。
【００３５】
また、器具接続管１の他端部１２は、チーズ５０の受け口５１に被さるように形成されている。他端部１２は、チーズ５０の受け口５１に接着剤を介して被着されるとともに、締め付けリング６０によって締結されるようになっている。これによって、器具接続管１の他端側もチーズ５０の受け口５１に液密に接続可能となっている。
【００３６】
以下、このような構造を有する器具接続管１の作用について説明する。かかる器具接続管１は可撓性を有するとともに、器具接続管１の一端側において最も曲がった状態で大便器３０に取付けられるが、この一端側において器具接続管１の曲げに対して周方向において曲げの外側部（管外周部が伸張する部分）にのみ蛇腹２１を形成し、周方向において曲げの内側部（管外周部が圧縮する部分）には蛇腹を形成していないので、器具接続管１の一端部近傍の曲げに対する許容範囲が従来の周方向全体に蛇腹を形成した器具接続管に対して格段に広がる。すなわち、器具接続管１を大便器３０の器具排水口３１とチーズ５０との間に接続するにあたって、最も曲げる必要のある器具接続側端部（一端部）を十分に曲げることができるようになる。
【００３７】
また、器具接続管１の他端部１２とチーズ５０との取付け位置が個々の器具接続管ごとに若干ずれていても、器具接続管１の他端部１２から長手方向一定領域においては周方向全周にわたって蛇腹２２が形成されているので、この部分においてこの取付け位置のずれを吸収することができる。
【００３８】
このような構成を有することによって、従来の蛇腹付きの器具接続管に比べて曲げ許容範囲の大きい器具接続管とすることができる。具体的には、図５（ａ）に示すように従来の蛇腹構造の器具接続管は、その中立延在方向ＮＬに対して取付け状態で上下に角度αだけ曲げることができるだけで、器具接続管の取付け性を向上させる下方向への曲げ量は不充分であったが、本実施形態にかかる器具接続管は、図５（ｂ）に示すように中立延在方向ＮＬに対して取付け状態で上方に角度α、下方に角度αよりかなり大きい角度βの範囲で曲げることが可能となる。その結果、小さいライニング内にチーズ５０を通すとともに器具接続管１を配設する場合であって、床上配管工事を行うために大便器と配管との間が狭く、かつ器具接続管を複雑に曲げた状態で取付けならなければならないような条件下であっても、本実施形態にかかる器具接続管はこのように取付け上の制約に対応することができる。
【００３９】
また、大便器を連立させて設置する場合、横引きの配管でつなげるとともにこの横引き配管に勾配を持たせる必要がある関係上、器具接続管が取付けられる大便器と横引き配管との高さ方向の位置関係が取付けられる器具接続管ごとに異なるようになるが、このような場合であっても、器具接続管１の他端部からその長手方向一定領域において周方向全周にわたって形成された蛇腹２２によって必要とされる曲げ方向への間に許容範囲が大きくなっているので、この取付け位置の高さ方向のずれを吸収することができる。
【００４０】
これによって、従来このような横引きの配管に対応して器具排水口に取付けられる一端部に異なる曲げ角度の曲げ部を備えた多種類の蛇腹付き器具接続管を用意しておく必要がなくなる。
【００４１】
また、大便器３０の器具排水口３１に接続される一端部１１から他端部１２に向かうに従って器具接続管１の通水断面積が大きくなっているので、狭いスペースにおいて大便器３０とチーズ５０を確実に接続できることに加えて、器具接続管内での汚物のつまりを防止する。
【００４２】
また、器具接続管１を大便器３０と配管７０との間で押しつぶして接続する際、器具接続管１の曲がり部において、器具接続管１内部の通水特性に影響を与える有効径が狭くなるが、大便器３０に接続される一端部から他端部に向かうに従って当該器具接続管１の通水断面積が大きくなっているため、曲がり部においても有効な通水断面積を確保でき、通過物のつまりを防止できる。
【００４３】
このような器具接続管１を大便器と配管の間に接続して、大便器と配管とこれらを接続する器具接続管を有する配管ユニットを構成することによって、汚物を大便器から排水しても、蛇腹の有効系を十分確保できるため、汚物をスムーズに流すことができる。
【００４４】
また、器具接続管の一端部の中心軸線と器具排水口の中心軸線が平行しているので、器具接続管の一端部が器具排水口の開口面に対して垂直なストレート部として形成され、これによって器具接続管を器具と配管との間に取付けた場合に器具接続管の一端部がつぶれることがなく、この部分での通水性能を低下させることがない。その結果、汚物のつまりが生じにくい。
【００４５】
以上説明したように、器具接続管１はその通水性能を発揮する必要上、取付け状態において器具に接続される一端側が配管に接続される他端側よりも高い位置に接続され、かつ狭いスペースにおいて器具と配管とを連結するという取付け上の制約を受けるが、器具接続管１の一端側（器具接続側）においては所定の周方向にのみ蛇腹を形成し、他端側は全周に蛇腹を形成することで、狭いスペースにおいても器具接続管の一端側を一方向に対しかなり曲げることができるとともに他端側をある程度伸ばした状態で器具と配管を接続できることから、配管と器具の接続する許容対応可能高さを大きくとることができる。このように従来の蛇腹付きの器具接続管に比べて曲げ許容範囲を大きくできることで、ライニング内の狭いスペースにおいて器具と配管との様々な位置関係に対応できるようになる。
【００４６】
また、このような器具接続管を、器具と、配管と、器具と配管を接続する器具接続管とを有する配管ユニットに使用することで、少ない種類の器具接続管で省スペースを図った配管ユニットを実現することができる。
【００４７】
なお、蛇腹を備えた器具接続管は、本実施形態の場合、軟質塩化ビニルでできていたが、これには限定されず、可撓性を有する耐水性の軟質材であれば何れの材質でできていても良い。
【００４８】
また、器具接続管は、大便器と配管とを接続する場合に限定されず、小便器と配管を接続する場合にも使用できることは言うまでもない。
【００４９】
また、器具接続管の他端部は接着剤及び締め付け金具を介してチーズの受け口に取付けられたが、必ずしもこれに限定されず、締め付け金具のみによって取付けられていても良い。
【００５０】
また、チーズ及びこれに接続される配管は、硬質塩化ビニル管について述べたが、その他鋼管やステンレス管についても同様に適用できる。
【００５１】
また、器具接続管と器具及び配管との取付け位置関係は、上述の実施形態の取付け位置関係に限定されず、器具接続管の通水性能を発揮するいかなる取付け位置関係も含まれる。
【産業上の利用可能性】
【００５２】
本発明にかかる器具接続管は大便器や小便器と配管とを接続して汚物や尿を排水する場合にのみその適用範囲を限定されず、その他のいわゆるスラリー流体を器具から配管に流すような場合にも適用可能である。
【図面の簡単な説明】
【００５３】
【図１】本発明の一実施形態にかかる器具接続管を斜め側方から見た斜視図である。
【図２】図１に示した器具接続管を器具と配管に取付けた状態における側面図である。
【図３】図１に示した器具接続管を斜め上方から見た斜視図である。
【図４】図１に示した器具接続管を器具と配管に取付けた状態において図２の矢印Ｙ方向から見た図である。
【図５】従来の蛇腹付き器具接続管の曲げ許容範囲（図５（ａ））と、本実施形態にかかる器具接続管の曲げ許容範囲（図５（ｂ））を示した図である。
【図６】床上配管工事によって従来の器具接続管を便器と配管との間に接続した状態を示した概略図である。
【図７】従来の蛇腹付きの器具接続管を便器と配管のとの間に接続した状態を示した概略図である。
【図８】複数の便器に取付けられた複数の器具接続管を横引きの配管にそれぞれ接続した状態を示した概略図である。
【図９】従来の蛇腹付きの器具接続管の端部に固定曲げ部を備えた変形例を便器と配管との間に接続した状態を示す概略図である。
【符号の説明】
【００５４】
１    器具接続管
１１    一端部（器具接続側端部）
１２    他端部（配管接続側端部）
２０〜２２    蛇腹
２３    近傍部分
２５    蛇腹不形成領域
３０    大便器
３１    器具排水口
４０    排水フランジ
４１    テーパ部
５０    チーズ
５１    受け口
６０    締め付け金具
７０    配管
８０    ライニング
９０    器具接続管
９１    器具接続管
９２，９２’，９２”・・・    器具接続管
９２ａ    固定曲げ部
【図１】
2005240947.tif 000003
【図２】
2005240947.tif 000004
【図３】
2005240947.tif 000005
【図４】
2005240947.tif 000006
【図５】
2005240947.tif 000007
【図６】
2005240947.tif 000008
【図７】
2005240947.tif 000009
【図８】
2005240947.tif 000010
【図９】
2005240947.tif 000011